(57)【特許請求の範囲】
【請求項１】
複数のレンズ群を有するレンズ鏡筒において、
全ての上記複数のレンズ群の内の少なくとも一つに対し相対移動する特定のレンズ群を除き、組み上げられたレンズ鏡筒と、
上記組み上げられたレンズ鏡筒に対し、上記特定のレンズ群を光軸方向及び該光軸と直交方向に隙間を採りながら、外部より上記特定のレンズ群を該光軸と直交する平面方向に移動調整し、且つ、上記光軸の傾きを傾き調整した後、上記隙間に接着材が充填され上記特定のレンズ群を上記組み上げられたレンズ鏡筒に固着したことを特徴とするレンズ鏡筒。
【請求項２】
上記特定のレンズ群は、上記組み上げられたレンズ鏡筒の光軸に対して、この光軸と直交する平面内のすべての方向に調整可能であり、かつ、上記特定のレンズ群を上記光軸に対してすべての方向の傾きを調整可能であり、その調整後に固着されることを特徴とする請求項１記載のレンズ鏡筒。
【請求項３】
上記特定のレンズ群は、保持枠に保持され、上記保持枠を上記組み上げられたレンズ鏡筒に上記調整された後、固着されることを特徴とする請求項１、または、２記載のレンズ鏡筒。
【請求項４】
特定のレンズ群を除き、他のレンズ群とともに組み上げられたレンズ鏡筒を固定治具部に固定し、上記特定のレンズ群を除いた他のレンズ群の光軸に対して上記特定のレンズ群を調整するために、上記特定のレンズ群を傾け、且つ、上記他のレンズ群の光軸に直交する方向に移動させる調整治具部に、上記組み上げられたレンズ鏡筒から上記光軸方向及び上記光軸と直交する方向に隙間を採りながら上記特定のレンズ群を装着し、上記調整治具部による調整後、上記隙間に接着材が充填され上記特定のレンズ群を上記レンズ鏡筒に固定することを特徴とするレンズ鏡筒の組み立て方法。
【請求項５】
上記調整治具部は、上記特定のレンズ群を上記光軸と直交する平面内で全ての方向に移動可能であり、上記特定のレンズ群を上記光軸に対して全ての方向に傾けることが可能であることを特徴とする請求項４記載のレンズ鏡筒の組み立て方法。
【請求項６】
上記特定のレンズ群は、保持枠に保持され、上記調整治具部は、上記特定のレンズ群に直接、嵌合保持され、上記調整後、上記保持枠を上記レンズ鏡筒に固定することを特徴とする請求項４、または、５記載のレンズ鏡筒の組み立て方法。
【請求項７】
上記特定のレンズ群は、保持枠に保持され、上記保持枠は、ネジ穴を有するスリーブ部材が固着され、上記調整治具部は、上記保持枠のスリーブ部材とネジ部材により結合されており、上記調整後、上記保持枠を上記レンズ鏡筒に固定し、上記調整治具と上記保持枠とのネジ部材による締結を解除することを特徴とする請求項４、または、５記載のレンズ鏡筒の組み立て方法。
【発明の詳細な説明】
【０００１】
【発明の属する技術分野】
本発明は、レンズ群の光軸調整が可能なレンズ鏡筒、および、上記レンズ鏡筒の光軸調整を行うレンズ鏡筒調整治具、さらに、上記レンズ鏡筒の組み立て方法に関する。
【０００２】
【従来の技術】
近年の銀塩カメラやデジタルカメラにおけるコンパクト化や高変倍率化に対応したレンズ鏡筒が要求されている状況で、撮影光学系の１枚、または、１群のレンズの光軸誤差としては、光軸に対して１０μｍの偏りδと、数分の傾きεのオーダーが要求されている。その要求に応える光軸調整が可能なレンズ鏡筒として特開平１１−２７１５８７号公報に開示されたものがある。このレンズ鏡筒は、光軸調整のための構造が簡単であり、さらには、調整時間の短縮も実現できるものとして提案されている。このレンズ鏡筒は、可動レンズ保持枠を鏡筒光軸に直交する面内にて光軸位置を調整するために所定の方向に位置調整する第１の調整手段と上記所定の方向と直交する方向に位置調整する第２の調整手段とを有する。
【０００３】
【発明が解決しようとする課題】
しかし、上述した特開平１１−２７１５８７号公報に開示のものは、上述したように光軸と直交する面内の光軸位置の調整のみが可能である。したがって、レンズ鏡筒の光軸の傾きは調整できず、光学性能のよい高精度のレンズ鏡筒を得ることが難しかった。また、レンズ保持枠が合成樹脂材料で形成されている場合、調整時の締め付け固定による変形が考慮されていないことから、上記調整時の固定によるずれで調整精度が劣化する可能性もあった。
【０００４】
本発明は、上述の問題を解決するためになされたものであり、レンズ群の光軸直交面上の光軸位置（偏心）および光軸の傾きが調整可能であり、さらに、調整時のレンズ保持枠の変形を考慮して調整精度の劣化を生じさせることなく、しかも、構造が簡単であるレンズ鏡筒、および、そのレンズ鏡筒の調整を行うレンズ鏡筒調整治具装置、さらに、上記レンズ鏡筒の組み立て方法を提供することを目的とする。
【０００５】
【課題を解決するための手段】
本発明の請求項１記載のレンズ鏡筒は、複数のレンズ群を有するレンズ鏡筒において、全ての上記複数のレンズ群の内の少なくとも一つに対し相対移動する特定のレンズ群を除き、組み上げられたレンズ鏡筒と、上記組み上げられたレンズ鏡筒に対し、上記特定のレンズ群を光軸方向及び該光軸と直交方向に隙間を採りながら、外部より上記特定のレンズ群を該光軸と直交する平面方向に移動調整し、且つ、上記光軸の傾きを傾き調整した後、上記隙間に接着材が充填され上記特定のレンズ群を上記組み上げられたレンズ鏡筒に固着したことを特徴とする。
【０００６】
本発明の請求項２記載のレンズ鏡筒は、請求項１記載のレンズ鏡筒において、上記特定のレンズ群は、上記組み上げられたレンズ鏡筒の光軸に対して、この光軸と直交する平面内のすべての方向に調整可能であり、かつ、上記特定のレンズ群を上記光軸に対してすべての方向の傾きを調整可能であり、その調整後に固着される。
【０００７】
本発明の請求項３記載のレンズ鏡筒は、請求項１、または、２記載のレンズ鏡筒において、上記特定のレンズ群は、保持枠に保持され、上記保持枠を上記組み上げられたレンズ鏡筒に上記調整された後、固着される。
【０００８】
本発明の請求項４記載のレンズ鏡筒の組み立て方法は、特定のレンズ群を除き、他のレンズ群とともに組み上げられたレンズ鏡筒を固定治具部に固定し、上記特定のレンズ群を除いた他のレンズ群の光軸に対して上記特定のレンズ群を調整するために、上記特定のレンズ群を傾け、且つ、上記他のレンズ群の光軸に直交する方向に移動させる調整治具部に、上記組み上げられたレンズ鏡筒から上記光軸方向及び上記光軸と直交する方向に隙間を採りながら上記特定のレンズ群を装着し、上記調整治具部による調整後、上記隙間に接着材が充填され上記特定のレンズ群を上記レンズ鏡筒に固定することを特徴とする。
【０００９】
本発明の請求項５記載のレンズ鏡筒の組み立て方法は、請求項４記載のレンズ鏡筒組み立て方法において、上記調整治具は、上記特定のレンズ群を上記光軸と直交する平面内で全ての方向に移動可能であり、上記特定のレンズ群を上記光軸に対して全ての方向に傾けることが可能である。
【００１０】
本発明の請求項６記載のレンズ鏡筒の組み立て方法は、請求項４、または、５記載のレンズ鏡筒の組み立て方法において、上記特定のレンズ群は、保持枠に保持され、上記調整治具部は、上記特定のレンズ群に直接、嵌合保持され、上記調整後、上記保持枠を上記レンズ鏡筒に固定する。
【００１１】
本発明の請求項７記載のレンズ鏡筒の組み立て方法は、請求項４、または、５記載のレンズ鏡筒の組み立て方法において、上記特定のレンズ群は、保持枠に保持され、上記保持枠は、ネジ穴を有するスリーブ部材が固着され、上記調整治具部は、上記保持枠のスリーブ部材とネジ部材により結合されており、上記調整後、上記保持枠を上記レンズ鏡筒に固定し、上記調整治具と上記保持枠とのネジ部材による締結を解除する。
【００１４】
【発明の実施の形態】
以下、本発明の実施の形態を図に基づいて説明する。
図１，２は、本発明の一実施形態のレンズ鏡筒２０のズームテレ状態における縦断面図であり、図１は、第１群枠のガイドロッド部上での断面を示し、図２は、直進キー部上での断面を示す。図３は、図１のＡ矢視図である。図４は、図１のＢ−Ｂ断面図である。図５は、図２のＣ矢視図である。図６は、図２のＤ−Ｄ断面図である。
【００１５】
本実施形態のレンズ鏡筒２０は、図１，２に示すように固定枠１と、固定枠１に回転、かつ、進退可能に支持される回転枠２と、回転枠２と一体的に回転して、さらに、回転枠２に相対的に光軸Ｏ方向に進退駆動されるカム環３と、カム環３に支持され、回転規制された状態でそれぞれ光軸Ｏ方向に進退駆動される第１群枠４，第２群枠６，第３群枠７と、第２群枠６に対して相対的に光軸Ｏ方向に進退駆動されるフォーカス枠５と、回転枠２に回転可能に支持され、固定枠１に回転規制されて回転枠２と共に光軸Ｏ方向に進退駆動される第１直進キー部材８と、カム環３に回転可能に支持され、第１直進キー部材で回転規制されてカム環３と共に光軸Ｏ方向に進退駆動される第２直進キー部材９と、位置，傾きを調整後、第１群枠４に固着される保持枠としての調整枠１７と、調整枠１７に保持される特定のレンズ群である第１群レンズ２１と、上記特定のレンズ群以外の複数のレンズ群であって、フォーカス枠５に保持される第２群レンズ２２、および、第３群枠７に保持される第３群レンズ２３と、固定枠１に回転可能に支持される長尺平歯車である固定枠側ズームギヤ１０と、第１直進キー部材８に支持される直進キー側従動ギヤ１１等を有してなる。
【００１６】
上記回転枠２は、ズームギヤ１０の回転によって従動ギヤ１１および外周ギヤ部２ａを介して回転駆動され、その回転により固定枠１のカム溝に係合するカムフォロア２ｂを介して繰り出し駆動される。
【００１７】
上記第１直進キー部材８は、その直進ガイド凸部８ａが固定枠１の直進溝に嵌入することによって直進ガイドされた状態で支持され、また、周状突起が回転枠２に周溝部に嵌合することで、回転枠２に対して相対回転可能、かつ、レンズ光軸（以下、光軸と記載する）Ｏ方向に一体的に進退可能に支持される。したがって、第１直進キー部材８は、回転枠２の回転，進退移動に伴い、光軸Ｏ方向に直進状態で回転枠２とともに繰り出される。
【００１８】
上記カム環３は、各レンズ群を保持する保持枠部材を進退駆動する枠部材であって、回転枠２に対して一体的に回転し、かつ、相対的に進退移動可能に支持される。
【００１９】
上記第２直進キー部材９は、直進溝９ｃに嵌入する第１直進キー部材８の直進キー部８ｂによって回転が規制された状態で進退可能にカム環３によって支持される（図５）。そして、第２直進キー部材９は、カム環３の周方向溝に周方向突起９ｂが嵌入した状態で支持され、さらに、カムフォロア９ａを介して回転枠２のカム溝によって光軸Ｏ方向に進退駆動される。  したがって、上記カム環３は、回転枠２とともに回転駆動され、かつ、第２直進キー部材９とともに光軸Ｏ方向に進退駆動される。
【００２０】
上記第１群枠４は、その内周面に設けられた光軸Ｏ方向に延びる直進溝４ｄに嵌入する第２直進キー部材９の直進キー部９ｄによって回転規制された状態で支持され（図６）、かつ、カムフォロア４ａを介してカム環３の内周面に設けられたカム溝によって光軸Ｏ方向に進退駆動される。
【００２１】
上記第２群枠６は、固着スリーブ１３を介して第１群枠４の２本ガイドロッド４ｂによって回転規制状態で進退可能に支持され（図４）、カムフォロア６ａを介してカム環３のカム溝によって光軸Ｏ方向に進退駆動される。
【００２２】
上記フォーカス枠５は、第２群枠６に対してフォーカス駆動ギヤ１２の送りネジ１２ａと第２群枠６のガイドピン６ａによって進退可能に支持される（図１）。図示しないフォーカス駆動モータによってフォーカス駆動ギヤ１２が回転駆動されると、フォーカス枠５は、第２群枠６に対して光軸Ｏ方向に相対的に進退駆動され、フォーカシングが行われる。
【００２３】
上記第３群枠７は、固着スリーブ１４を介して第１群枠４の２本ガイドロッド４ｃによって回転規制状態で進退可能に支持され（図４）、カムフォロア７ａを介してカム環３のカム溝によって光軸Ｏ方向に進退駆動される。
【００２４】
上記調整枠１７は、合成樹脂材料で形成され、その開口部に第１群レンズ２１が固着保持される。調整枠１７のフランジ部には、光軸Ｏ方向のネジ穴部を有する２つの金属製スリーブ１５がインサート成形、または、接着により固着されている。上記スリーブ１５のネジ穴部には、レンズ光軸調整時、レンズ鏡筒調整治具装置５０の調整枠支持体４０に調整枠１７を装着するための仮止めビス５５が螺着される。また、その外周部１７ｅは、図１１に示すように第１群枠４の内周部４ｅに対して光軸調整時の調整移動を可能とするために光軸Ｏと直交する平面方向の隙間、および、光軸Ｏの方向の隙間（光軸傾き調整のための隙間）が設けられている。上記各隙間には、上記光軸調整後に接着剤が充填され、固着される。
【００２５】
上述した構成を有する本実施形態のレンズ鏡筒２０の組み立て調整は、前段階として第１群レンズ２１を保持する調整枠１７を除いた第２，３群レンズ２２，２３が組み込まれた調整枠未装着状態での組み立て調整が行われる（前段階組み立て済みレンズ鏡筒）。
【００２６】
続いて、後述するレンズ鏡筒調整治具装置５０を用いて第１群レンズ２１を保持する調整枠１７を上記前段階組み立て済みレンズ鏡筒に対して光軸調整して固定される。すなわち、上記前段階組み立てレンズ鏡筒の第２，３群レンズ２２，２３の光軸Ｏに対して第１群レンズ２１の光軸Ｏと直交する平面上の全ての方向の位置、および、光軸Ｏに対する全ての方向の傾きを調整して第１群枠４に調整枠１７を接着剤により固着する。上記調整枠１７の固定で本実施形態のレンズ鏡筒２０のレンズ光軸調整を終了する。
【００２７】
上記組み立てが終了したレンズ鏡筒２０のズーミング動作について説明すると、図示しないズーム駆動モータによってズームギヤ１０を回転駆動すると、回転枠２とカム環３とが回転しながら繰り出される。カム環３の回転と進退位置に対応して第１，２，３群枠４，６，７がそれぞれの位置に移動して、第１，２，３群レンズ２１，２２，２３が光軸Ｏ上のズーム位置であるワイド位置、または、テレ位置にそれぞれ繰り出される。また、フォーカシング動作は、上記ズーミング繰り出し状態にて図示しないフォーカス駆動モータによりフォーカス駆動ギヤ１２を回転駆動し、フォーカス枠５が第２群枠６に対して相対的に進退駆動され、フォーカシングが行われる。
【００２８】
次に、本発明の一実施形態である上記レンズ鏡筒２０の光軸調整を行うためのレンズ鏡筒調整治具装置５０の構成について、図７〜１２を用いて説明する。なお、以下の説明において、上記レンズ鏡筒２０の光軸ＯをＺ軸とし、Ｚ軸に直交する軸をＹ軸とし、Ｚ軸およびＹ軸に直交する軸をＸ軸とする。したがって、ＸＹ平面は、光軸Ｏ（Ｚ軸）と直交する平面となる。
【００２９】
図７，８は、それぞれレンズ鏡筒２０を装着した状態でのレンズ鏡筒調整治具装置５０のＹＺ平面、または、ＸＺ平面に関する断面図である。図９は、図７のＥ−Ｅ断面図であり、図１０は、図８のＦ−Ｆ断面図である。図１１は、レンズ鏡筒調整治具装置５０の調整枠支持体にレンズ鏡筒２０の調整枠を取り付けた状態でのＹＺ平面に関する断面図である。図１２は、レンズ鏡筒調整治具装置５０の調整枠支持体の形状を示す図１１のＧ矢視図である。
【００３０】
本実施形態のレンズ鏡筒調整治具装置５０は、固定治具部と調整治具部とからなる。
【００３１】
上記固定治具部は、図７，８に示すように治具支持体３０と、治具支持体３０に固定支持される鏡筒支持体３１と、鏡筒支持体３１に固定支持されるステージ支持体３２と、Ｙステージ用調整ハンドル４７と、Ｘステージ用調整ハンドル４６とを有してなる。
【００３２】
上記調整治具部は、Ｙステージ３３と、Ｘステージ３４と、回転ステージ３７と、回転ステージ３７を後述する回転支持体３６と共にＸステージ３４に押圧支持するためのステージ支持体３５と、ステージ支持体３５に固定支持される回転ステージ支持体３６と、回転ステージ３７に支持板４０ｅを介して固定支持される調整枠支持体４０と、回転ステージ用調整ハンドル４８，４９とを有してなる。
【００３３】
上記鏡筒支持体３１は、レンズ鏡筒２０のカム環３の外径部に精密嵌合（ガタのない嵌合）し、レンズ鏡筒２０を固定支持するための嵌合内周面３１ａと、Ｙステージ３３に当接する摺動面とを有しており、さらに、Ｙステージ３３をＹ方向にスライドガイドするための２本のガイドピン４５がＹ軸上に固着されている（図９）。
【００３４】
上記ステージ支持体３２は、鏡筒支持体３１に固定されており、Ｙ，Ｘステージ３３，３４を光軸Ｏ方向に直交する方向にスライド移動可能状態で挟持する。ステージ支持体３２の内面には、Ｙ，Ｘステージ挟持ガタを除去するためにＹ，Ｘステージ３３，３４をＺ方向後方に付勢する板バネ４１，４２が組み込まれている。
【００３５】
上記ステージ支持体３５は、外径ねじ３５ｃを有する筒状部３５ａと鍔状に径方向に広がるフランジ部３５ｂとを有してなる。そして、筒状部３５ａとフランジ部３５ｂとの間にはテーパ面を有し、このテーパ面中に後述する調整ハンドル４８、４９が遊嵌する六が設けられている。  上記回転ステージ支持体３６は、リング状に形成されていてその外周面には球体の一部である球状外周面３６ａを有し、この球形外周面３６ａにはボール部材３９を保持するための複数の穴部３５ｄを有する。そして、このリング状の内径部には上記ステージ支持体３５の外径ねじ３５ｃと螺合するためのねじが設けられている。  ステージ支持体３５と回転ステージ支持体３６とは、穴３５ｄにボール部材３９を保持しながらねじ締結され、回転ステージ３７をＸステージ３４に押し付けるようにして回転ステージ３７があらゆる方向に揺動可能（傾き可能）なように回転ステージ３７を挟持する。また、フランジ部３５ｂとＸステージ３４との間には回転ステージ３７とＸステージ３４の球形面との間にガタが生じないようにばね弾性を利用する板ばね４３が挿入されている。
【００３６】
Ｙステージ３３は、図７，８，９に示すようにＹ軸に沿った２つのガイド溝３３ａと、Ｘ軸上に配置される２本のガイドピン４４と、Ｙ軸上の上方位置に配置される調整ネジ穴部３３ｂとを有している。そして、板バネ４１によりＺ方向に押圧された状態のもとで、鏡筒支持体３１とステージ支持体３２とに挟持されて、ガイド溝３３ａに２本ガイドピン４５が嵌合した状態でＹ方向にガタなくスライド移動可能に支持される。なお、Ｙステージ３３の外周とステージ支持体３２の内周の間には、上記Ｙ方向の調整移動が可能な隙間が設けられる。
【００３７】
上記調整ハンドル４７は、軸部にフランジ部４７ａとネジ部４７ｂを有している。この調整ハンドル４７は、フランジ部４７ａがステージ支持体３２上のハンドル支持板５３で挟持された状態でネジ部４７ｂをＹステージ３３の調整ネジ穴部３３ｂに螺合させて取り付けられる。したがって、調整ハンドル４７を回転操作することによって、Ｙステージ３３はＹ方向に移動する。
【００３８】
Ｘステージ３４は、図８，１０に示すようにＸ軸に沿った２つのガイド溝３４ａと、内側にて回転ステージ３７をスライド回転可能（すなわち、揺動可能）に支持する球状内周面３４ｃと、Ｘ軸上の右方位置に配置される調整ネジ穴部３４ｂとを有している。そして、Ｘステージ３４は、Ｙステージ３３とステージ支持体３２に挟持され、板バネ４２によりＺ方向に押圧された状態で、ガイド溝３４ａがＹステージ３３の２本ガイドピン４４に嵌合して支持されている。但し、ステージ支持体３２の調整ハンドル４６の軸を挿通させる穴は、調整ハンドルに対して十分な隙間を有している。これは、Ｙステージ３３の移動を可能とするためである。したがって、Ｘステージ３４は、ガタのない状態でＹステージ３３とともにＹ軸方向に移動するとともに、Ｘ軸方向にスライド移動可能、すなわち、ＸＹ平面上全ての方向に移動可能である。なお、Ｘステージ３４の外周とＹステージ３３の内周との間には、Ｘステージ３４のＸ方向調整移動のための隙間が設けられている。
【００３９】
上記調整ハンドル４６は、軸部にフランジ部４６ａとネジ部４６ｂを有しており、フランジ部４６ａをステージ支持体３２上のハンドル支持板５２で挟持し、Ｙステージ３３の挿通穴を挿通し、ネジ部４６ｂをＸステージ３４の調整ネジ穴部３４ｂに螺合させて取り付けられる。したがって、調整ハンドル４６を回転操作することによって、Ｘステージ３４はＸ方向に移動調整される。
【００４０】
上記回転ステージ３７は、１群レンズ２１の光軸Ｏ上の中心、例えば、レンズ主点Ｐ0 を中心とした中空球体をＸＹ面で光軸Ｏ方向の所定幅でカットした球形面を持つ光軸Ｏ回りの傾斜環状形状を有している。そして、上記回転ステージ３７には球面状外周面３７ａおよび球面状内周面３７ｂと、ＹＺ断面上内側側方部に傾斜した調整ネジ穴部３７ｃと、ＸＺ断面上内側側方部に傾斜した調整ネジ穴部３７ｄと、調整枠支持体４０を装着するための取り付けネジ部とが設けられている。なお、上記球状外周面３７ａの周方向に沿って設けられる凹部には、ボール部材３８が配置されている。
【００４１】
そして、回転ステージ３７は、その球面状外，内周面３７ａ，３７ｂをＸステージ３４の球状内周面３４ｃとステージ支持体３５に支持される回転ステージ支持体３６の球状外周面３６ａとで挟持した状態で摺動自在に支持される。したがって、回転ステージ３７は、Ｘステージ３４とともにＸＹ平面上を移動可能とすると同時に、第１群レンズ２１の主点Ｐ0 を中心にしてあらゆる方向に回動可能（すなわち、揺動可能）となる。その回動状態では、ボール部材３８，３９がＸステージ３４の球状内周面３４ｃと、回転ステージ３７の球状内周面３７ｂに転動可能状態で当接し、かつ、板バネ４３により付勢されて挟持されるので、回転ステージ３７は、スムーズにガタのない状態で回転できる。
【００４２】
上記調整ハンドル４８は、軸部にフランジ部４８ａとネジ部４８ｂを有しており、フランジ部４８ａがステージ支持体３５で挟持され、ネジ部４８ｂが回転ステージ３７のＹＺ断面上の調整ネジ穴部３７ｃに螺合した状態で取り付けられる。調整ハンドル４８を回転操作することによって、回転ステージ３７の、第１群レンズ２１の主点Ｐ0 を通るＸ軸回りの傾きが回転調整される（図７）。
【００４３】
上記調整ハンドル４９は、軸部にフランジ部４９ａとネジ部４９ｂを有しており、フランジ部４９ａがステージ支持体３５で挟持され、ネジ部４９ｂが回転ステージ３７のＸＺ断面上の調整ネジ穴部３７ｄに螺合した状態で取り付けられる。調整ハンドル４９を回転操作することによって、回転ステージ３７の、第１群レンズ２１の主点Ｐ0 を通るＹ軸回りの傾きが回転調整される。
【００４４】
上記調整枠支持体４０には、図１２に示すように中央開口部４０ｄの周囲部にＹ方向の２位置に調整枠１７を固定するためのビス挿通穴４０ａと、ビス挿通穴４０ａの近傍４箇所に接着剤注入穴４０ｂと、外周部に３つのビス挿通穴４０ｃが設けられている。この調整枠支持体４０は、調整枠支持体取り付け板４０ｅを介して回転ステージ３７にビス止めされて固着される。レンズ鏡筒光軸調整時には、上記調整枠１７が調整枠支持体４０に対して仮止めビス５５を調整枠１７のスリーブ１５に螺着して取り付けられる。
【００４５】
上述した構成を有するレンズ鏡筒調整治具装置５０においては、調整ハンドル４７，４６を回転操作することにより、Ｙステージ３３、または、Ｘステージがそれぞれの方向に移動する。したがって、回転ステージ３７および調整枠支持体４０とを介して、調整枠１７は、固定治具部側レンズ鏡筒２０に対してＸＹ平面上全方向の偏りδが調整可能である。同時に、調整ハンドル４８，４９を回転操作することにより回転ステージ３７が上記ＸＹ平面上の調整移動した位置にてあらゆる方向に回転移動する。したがって、調整枠１７は、固定治具部側レンズ鏡筒２０に対して第１群レンズ２１の主点Ｐ0 を中心にした全ての方向について傾きεが調整可能である。
【００４６】
次に、上記レンズ鏡筒調整治具装置５０を用いてレンズ鏡筒２０のレンズ光軸調整動作について説明する。
上記レンズ光軸調整とは、特定のレンズである第１群レンズ２１を保持する調整枠１７の未装着状態にて第２，３群レンズ２２，２３とがすでに組み立て、調整された上記レンズ鏡筒２０に対して、上記レンズ鏡筒調整治具装置５０を用いて第１群レンズ２１のレンズ光軸調整を第２，３群レンズ２２，２３の光軸Ｏに対して行うものである。
【００４７】
まず、レンズ鏡筒調整治具装置５０の調整治具部の回転ステージ３７に支持される調整枠支持体４０に対して第１群レンズ２１を保持する調整枠１７を仮止めビス５５により取り付ける。
【００４８】
一方、回転治具部側鏡筒支持体３１の、レンズ鏡筒２０のカム環３を固定支持する円周部３１ａの内周には、カム環３を支持するためのＯリング３１ｃが光軸Ｏ方向において所定の間隔を有して２箇所のリング溝３１ｂ中にそれぞれ配置されている。  調整枠１７未装着状態のレンズ鏡筒２０のカム環３の外周部にレンズ鏡筒調整治具装置５０の固定治具部側鏡筒支持体３１の嵌合内周部３１ａを上記２つのＯリング３１ｃを介してガタのない状態で嵌合させる。そのとき、レンズ鏡筒２０の光軸Ｏ方向位置も固定治具部に対して正確に位置決めする。
【００４９】
なお、上記取り付けられるレンズ鏡筒２０のズーム状態は、テレ状態とする。また、上記調整前の装着状態では、調整治具部に装着された調整枠１７外周部１７ｅと、固定治具部側に装着されたレンズ鏡筒２０の第１群枠４の取り付け内周部４ｅとの間の接着固定隙間部分には図１１に示すように調整代分の隙間が光軸Ｏ直交方向（ＸＹ平面上）と光軸Ｏ方向（Ｚ軸方向）に存在しているものとする。
【００５０】
上記レンズ鏡筒２０が装着されたレンズ鏡筒調整治具装置５０をテストチャートを用いてレンズ鏡筒の結像状態をチェックする装置であるレンズ系光軸調整装置にセットしてレンズ光軸調整が行われる。
【００５１】
上記レンズ系光軸調整装置においては、レンズ鏡筒結像側にチャートと拡散板と光源が配置されており、上記光源から出射された光は、上記拡散板で均一光となり、チャート像をレンズ鏡筒側に照射される。
【００５２】
上記レンズ鏡筒２０が装着されたレンズ鏡筒調整治具装置５０は、上記レンズ系光軸調整装置のフォーカスステージ上に取り付けられる。上記フォーカスステージは、フォーカス駆動用のステップモータで光軸Ｏ方向に進退駆動され、ピントぼけ状態が抑制される。
【００５３】
レンズ鏡筒２０の被写体側の所定の距離に光軸Ｏ中心位置とその周辺位置に複数のＣＣＤカメラが設置される。上記チャート像は、上記複数のＣＣＤカメラに投影され、撮像されたチャート像は、モニタ上に出力される。
【００５４】
上記モニタ上のチャート像を観察しながら、あるいは、ＭＴＦデータを判別することにより所定の基準に沿った解像性能が得られるように調整ハンドル４７，４６、または、調整ハンドル４８，４９を回転操作して調整枠１７の偏りδと傾きεを調整する。なお、上記レンズ系光軸調整装置を適用することにより光軸Ｏ近傍の特性に限らず、周辺特性についても精度のよい調整が可能となる。
【００５５】
上記調整後、調整枠支持体４０の接着剤注入穴４０ｂより注射器等で接着剤を調整枠１７の外周部１７ｅと第１群枠４の取り付け内周面４ｅの隙間に注入し、両者を固定する。接着固定後、仮止めビス５５を外して、さらに、レンズ鏡筒調整治具５０からレンズ鏡筒２０を取り外して光軸調整を終了する。
【００５６】
なお、上記レンズ系光軸調整装置の具体例としては、本出願人が先に提案した特願２０００−２９１５６６号のものがある。但し、このレンズ系光軸調整装置は、ＭＴＦ調整方法を適用してレンズ位置の調整駆動を自動的に行う装置である。本実施形態での調整は、レンズ鏡筒調整治具装置５０の調整ハンドルの手動操作により行われるものであるから、上記特願２０００−２９１５６６号のレンズ系光軸調整装置における自動調整駆動部を手動操作部に代える必要がある。もっともレンズ鏡筒調整治具装置５０における調整ハンドルをモータ駆動とすれば、上記特願２０００−２９１５６６号のレンズ系光軸調整装置をそのまま適用できる。また、上記レンズ系光軸調整装置には、レーザ光を光源として適用するレーザ芯調整装置を適用してもよい。
【００５７】
以上、説明した本実施形態のレンズ鏡筒２０によれば、第１群レンズ２１を保持する調整枠１７を組み立て済みの第２，３群レンズに対して最終的に光軸調整して組み付けることができる。また、レンズ光軸の全ての方向の偏りδ、傾きεの調整をレンズ鏡筒の前面側から容易に行うことができる。
【００５８】
上記レンズ鏡筒調整治具装置５０によれば、レンズ光軸の全ての方向の偏りδのみの調整を調整ハンドル４７，４６で行い、別途にレンズ光軸の傾きεのみの調整を調整ハンドル４８，４９で行うことが可能であり、調整動作が容易である。
【００５９】
また、調整枠１７と治具側調整枠支持体４０との固定を樹脂製調整枠１７にインサート成形されたネジ穴付き金属性スリーブ１５に仮止めビス５５を螺着して行っている。したがって、調整後、仮止めビス５５を取り外したときの調整枠１７の変形が極めて少なく、調整精度の低下が避けられる。因みに、従来のように上記仮止めビス５５を樹脂製調整枠に直接螺着した場合、仮止めネジ５５を取り外したとき、上記調整枠が大きく変形して調整精度が低下するおそれがあった。
次に、上記実施形態のレンズ鏡筒２０調整枠１７およびレンズ鏡筒調整治具５０の調整枠支持体４０に対する変形例について、図１３〜１５を用いて説明する。
図１３は、上記変形例の調整枠および調整枠支持体の形状を示す縦断面図である。図１４は、上記変形例の調整枠支持体の形状を示す図１３のＨ矢視図である。図１５は、上記変形例の調整枠の形状を示す図１３のＨ矢視図である。
【００６０】
この変形例においては、調整枠支持体６０にて調整枠６７を保持する場合に、仮止めビス５５を使用することなく、調整枠６７側の第１群レンズの外径部を爪部の圧入により直接保持する。したがって、ビスの螺着によって生じる調整枠の変形が生じにくく、高精度の光軸調整が可能である。
【００６１】
本変形例の調整枠６７は、やはり、合成樹脂材料で形成される。そして、図１３，１５に示すように第１群レンズ２１を構成する前側レンズ２１ａと後側レンズ２１ｂを共に保持するが、前側レンズ２１ａの保持外周部６７ａの３方箇所に爪部挿入のための逃げ部６７ｅを設ける。また、上記調整枠６７の外周部６７ｃと第１群枠４の調整枠保持内周部４ｅとの間には、前記一実施形態の場合と同様に光軸調整移動量だけの隙間が径方向と光軸Ｏ方向とに設けられる。
【００６２】
一方、本変形例の調整枠支持体６０は、図１３，１４に示すように中央開口部６０ｄの周囲部の３箇所に調整枠６７の逃げ部６７ｅに挿入し、前側レンズ２１ａの外径を圧入支持する３つの爪部６０ｅと、爪部６０ｅの近傍４箇所に接着剤注入用の穴６０ｂと、外周部に３つの調整枠支持体取り付け板装着用のビス挿通穴６０ｃを有している。この調整枠支持体６０は、前記レンズ鏡筒調整治具装置５０の場合と同様に調整枠支持体取り付け板４０ｅを介して調整治具部の回転ステージ３７にビス止めされる。
【００６３】
本変形例の調整枠６７，調整枠支持体６０を適用してレンズ鏡筒調整を行う場合、前記レンズ鏡筒調整治具装置５０の調整治具部側に取り付けられている上記調整枠支持体６０の爪部６０ｅを前側レンズ２１ａの外径部に圧入することにより調整枠支持体６０で調整枠６７を保持した状態とする。その保持状態で前記一実施形態の場合と同様にレンズ鏡筒調整治具装置５０の固定治具部に装着されている第２，３群レンズ２２，２３が組み込まれた前記前段階組み立て済みレンズ鏡筒２０に対して調整枠６７の光軸Ｏ直交する平面上の位置と光軸Ｏとの傾きを調整して、上記第２，３群レンズ２２，２３の光軸Ｏに対する第１群レンズ２１の光軸調整が行われる。
【００６４】
上記光軸調整後、上記調整枠６７の外周部６７ｃと第１群枠４の調整枠保持内周部４ｅとの隙間に接着剤を注入して接着する。そして、調整枠支持体６０の爪部６０ｅを前側レンズ２１ａから取り外してレンズ光軸調整を終了する。
【００６５】
上述した本変形例の調整枠支持体６０，調整枠６７を適用したレンズ鏡筒調整治具装置によれば、調整枠支持体６０で調整枠１７を保持する場合、比較的剛性の高いレンズ２１ａの外径部を調整枠支持体６０の爪部６０ｅで圧入保持し、光軸調整後、その保持部を外す用にしたので、調整前後での仮止めビスのネジ締めとネジ外しが不要であり、調整枠６７の変形が殆どない。したがって、光軸が調整前後で変化することがなく、高精度の光軸調整状態が保持される。また、ビスの螺着作業が不要になり、調整動作も簡単になる。
【００６６】
【発明の効果】
上述のように本発明のレンズ鏡筒およびレンズ鏡筒調整治具装置によれば、特定のレンズ群を除いて組み付けられたレンズ鏡筒に対して上記特定のレンズ群を上記レンズ鏡筒調整治具装置によって位置を調整することにより、光軸直交平面上の偏りと傾きの高精度の調整を簡単に行うことができる。
【図面の簡単な説明】
【図１】本発明の一実施形態のレンズ鏡筒のズームテレ状態におけるガイドロッド部上での縦断面図。
【図２】上記図１のレンズ鏡筒におけるズームテレ状態における直進キー部上での縦断面図。
【図３】上記図１のＡ矢視図。
【図４】上記図１のＢ−Ｂ断面図。
【図５】上記図２のＣ矢視図。
【図６】上記図２のＤ−Ｄ断面図。
【図７】本発明の一実施形態であるレンズ鏡筒調整治具装置の上記図１のレンズ鏡筒を装着した状態でのＹＺ平面に関する断面図。
【図８】上記図７のレンズ鏡筒調整治具装置の上記図１のレンズ鏡筒を装着した状態でのＸＺ平面に関する断面図。
【図９】上記図７のＥ−Ｅ断面図。
【図１０】上記図８のＦ−Ｆ断面図。
【図１１】上記図７のレンズ鏡筒調整治具装置の調整枠支持体に上記図１のレンズ鏡筒の調整枠を取り付けた状態でのＹＺ平面に関する断面図。
【図１２】上記図１１の調整枠支持体の形状を示すＧ矢視図。
【図１３】上記図１のレンズ鏡筒および上記図７のレンズ鏡筒調整治具の変形例における調整枠および調整枠支持体の形状を示す縦断面図。
【図１４】上記図１３の変形例の調整枠支持体の形状を示すＨ矢視図。
【図１５】上記図１３の変形例の調整枠の形状を示すＨ矢視図。
【符号の説明】
３  ……カム環（枠部材）
１５  ……スリーブ（スリーブ部材）
１７，６７
……調整枠（保持枠）
２０  ……レンズ鏡筒
２１  ……第１群レンズ
（複数のレンズ群，特定のレンズ群）
２１ａ……第１群レンズの前側レンズ
（複数のレンズ群，特定のレンズ群）
２１ｂ……第１群レンズの後側レンズ
（複数のレンズ群，特定のレンズ群）
２２……第２群レンズ（複数のレンズ群）
２３……第３群レンズ（複数のレンズ群）
３０  ……治具支持体（固定治具部）
３１  ……鏡筒支持体（固定治具部）
３２  ……ステージ支持体（固定治具部）
３３  ……Ｙステージ（調整治具部）
３４  ……Ｘステージ（調整治具部）
３５  ……ステージ支持体（調整治具部）
３７  ……回転ステージ（調整治具部）
４０  ……調整枠支持体（調整治具部）
５０  ……レンズ鏡筒調整治具装置
【図１】
0004129128.tif 000002
【図２】
0004129128.tif 000003
【図３】
0004129128.tif 000004
【図４】
0004129128.tif 000005
【図５】
0004129128.tif 000006
【図６】
0004129128.tif 000007
【図７】
0004129128.tif 000008
【図８】
0004129128.tif 000009
【図９】
0004129128.tif 000010
【図１０】
0004129128.tif 000011
【図１１】
0004129128.tif 000012
【図１２】
0004129128.tif 000013
【図１３】
0004129128.tif 000014
【図１４】
0004129128.tif 000015
【図１５】
0004129128.tif 000016